(57)【要約】【課題】住宅の新築や増改築、収納家具の選定等において、どの高さ位置の収納部にはどの種の収納部が使い良くてどの種は使いにくいか、あるいは、特定の種の収納部はどの高さ位置において使い良くてどの高さ位置では使いにくいか、などを予め比較して体験することができる体験設備等を提供する。【解決手段】開き戸式収納部１、引き戸式収納部２、引出し式収納部３及び上開きハッチ式収納部４の少なくとも二種以上が備えられ、それぞれの種の収納部が、種間で高さ位置を対応させるようにして、高さ位置を異ならせて上下方向に複数備えられている。【選択図】      図１
2004264575.tif 000002
【特許請求の範囲】
【請求項１】
開き戸式収納部、引き戸式収納部、引出し式収納部及び上開きハッチ式収納部の少なくとも二種以上が備えられ、それぞれの種の収納部が、種間で高さ位置を対応させるようにして、高さ位置を異ならせて上下方向に複数備えられていることを特徴とする収納部の高さ位置体験設備。
【請求項２】
開き戸式収納部、引き戸式収納部、引出し式収納部及び上開きハッチ式収納部のいずれか一種が備えられ、その種の収納部が高さ位置を異ならせて上下方向に複数備えられていることを特徴とする収納部の高さ位置体験設備。
【請求項３】
引出し式収納部が高さ位置を異ならせて上下方向に複数備えられ、該引出し式収納部群の上方に隣接して、開き戸式収納部、引き戸式収納部、上開きハッチ式収納部のうちのいずれか一種又は二種以上が備えられていることを特徴とする収納部の高さ位置体験設備。
【請求項４】
床面からの高さ寸法が１１００ｍｍから１６００ｍｍの間の範囲において、上下方向に少なくとも３つ以上の引出し式収納部が備えられていることを特徴とする収納部の高さ位置体験設備。
【請求項５】
請求項１乃至４のいずれか一に記載の収納部の高さ位置体験設備を用い、体験希望者に収納部の高さ位置を体験させることを特徴とする収納部の高さ位置体験提供方法。
【発明の詳細な説明】
【０００１】
【発明の属する技術分野】
本発明は、収納部の高さ位置体験設備及び同体験提供方法に関する。
【０００２】
【従来の技術及び課題】
収納部には、開き戸式や引き戸式、引出し式、上開きハッチ式等を採用するものがあるが、住宅の新築や増改築、収納家具の選定等において、どの高さ位置の収納部にはどの種が使い良くてどの種は使いにくいか、あるいは、特定の種の収納部はどの高さ位置において使い良くてどの高さ位置では使いにくいか、などを予め比較して体験することができれば、非常に便利である。
【０００３】
本発明は、かかる体験を行うことができる収納部の高さ位置体験設備等を提供することを課題とする。
【０００４】
【課題を解決するための手段】
上記の課題は、開き戸式収納部、引き戸式収納部、引出し式収納部及び上開きハッチ式収納部の少なくとも二種以上が備えられ、それぞれの種の収納部が、種間で高さ位置を対応させるようにして、高さ位置を異ならせて上下方向に複数備えられていることを特徴とする収納部の高さ位置体験設備によって解決される。
【０００５】
この設備では、それぞれの種の収納部が、高さ位置を異ならせて上下方向に複数備えられているので、特定の種の収納部は、どの高さ位置において使いよいか、どの高さ位置において使いにくいかを体験的に知ることができる。
【０００６】
しかも、開閉方式の異なる二種以上の収納部が、種間で高さ位置を対応させるようにして備えられているので、どの高さ位置の収納部にはどの種が使い良くてどの種は使いにくいかを、種間で比較して体験することができる。
【０００７】
また、上記の課題は、開き戸式収納部、引き戸式収納部、引出し式収納部及び上開きハッチ式収納部のいずれか一種が備えられ、その種の収納部が高さ位置を異ならせて上下方向に複数備えられていることを特徴とする収納部の高さ位置体験設備によっても解決される。
【０００８】
この設備では、特定の種の収納部が、どの高さ位置において使いよいか、どの高さ位置において使いにくいかを体験的に知ることができる。
【０００９】
また、上記の課題は、引出し式収納部が高さ位置を異ならせて上下方向に複数備えられ、該引出し式収納部群の上方に隣接して、開き戸式収納部、引き戸式収納部、上開きハッチ式収納部のうちのいずれか一種又は二種以上が備えられていることを特徴とする収納部の高さ位置体験設備によっても解決される。
【００１０】
この設備は、引出し式の収納部について、どの高さ位置において使いよいか、どの高さ位置において使いにくいかを体験的に知ることができる。のみならず、この設備は、収納部が引出し式である場合の特質が考慮されている。即ち、引出し式の収納部は、引き出した状態で収納物の出し入れ口が上を向くため、引き出し式の収納部を使える高さには限界がある。その限界さえ把握できれば引き出し式収納部の体験設備として役目は果たされるのであって、その限界を超えて引き出し式の収納部を備えさせるのは体験設備として無益である。そこで、引出し式収納部群の上方の空きスペースを利用して、その高さ位置においても用いられ得る開き戸式収納部、引き戸式収納部、ハッチ式収納部のうちのいずれか一種又は二種以上を設置し、引出し式収納部の上方に備えさせ得る収納部を体験できるようにし、スペースの有効利用と体験の幅の拡大を図ったものである。
【００１１】
また、上記の課題は、床面からの高さ寸法が１１００ｍｍから１６００ｍｍの間の範囲において、上下方向に少なくとも３つ以上の引出し式収納部が備えられていることを特徴とする収納部の高さ位置体験設備によって解決される。
【００１２】
この設備では、１１００ｍｍから１６００ｍｍの範囲に上下方向に少なくとも３つ以上の引出し式収納部が備えられているので、体験者は、この高さ範囲にある引出し式収納部を利用することによって、自らが使用できる引出し式収納部の限界高さ領域を寸法的により正確に把握することができる。即ち、１１００ｍｍから１６００ｍｍの高さ範囲は、体験者の身長等に関係して、引出し式収納部を採用する上での限界となりうる高さ範囲であり、体験者の身長等に応じて、引出し式収納部を採用しうる限界の高さ位置を体験者に把握させるのに役立つ。
【００１３】
そして、上記の体験設備を用い、体験希望者に収納部の高さ位置を体験させることによって、福祉分野であるか、住宅関連分野であるか、教育分野であるかを問わず、体験をさせる側は、希望者の体験希望に容易に応えていくことが可能となる。
【００１４】
【発明の実施の形態】
次に、本発明の実施形態を図面に基づいて説明する。
【００１５】
図１に示す第１実施形態の体験設備は、開き戸式収納部１、引き戸式収納部２、引出し式収納部３及び上開きハッチ式収納部４の４種の収納部が備えられ、それぞれの種の収納部が、種間で高さ位置を対応させるようにして、高さ位置を異ならせて上下方向に複数備えられている。
【００１６】
具体的には、向かって左側に開き戸式収納部１…の群が備えられ、中央に引き戸式収納部２…が備えられ、向かって右側に引出し式収納部３…の群と、上開きハッチ式収納部４…の群とが備えられている。
【００１７】
開き戸式収納部１については、床面からの高さ寸法が０〜２４００ｍｍの範囲において、高さ寸法を６００ｍｍとする収納部１…が４つ上下方向に隣り合うようにして備えられている。そして、各収納部１…の開き戸には取っ手５…が備えられ、取っ手５は各収納部１の高さ範囲の略全長にわたって備えられ、好みの高さ位置で取っ手５にアクセスして開き戸を開閉できるようになされている。
【００１８】
また、引き戸式収納部２については、開き戸式収納部１…の群と隣り合うようにして、同じく、床面からの高さ寸法が０〜２４００ｍｍの範囲において、高さ寸法を６００ｍｍとする収納部２…が４つ上下方向に隣り合うようにして備えられている。各収納部２…の引き戸にも取っ手５…が備えられ、取っ手５は各収納部２の高さ範囲の略全長にわたって備えられ、好みの高さ位置で取っ手５にアクセスして引き戸を開閉できるようになされている。
【００１９】
更に、引出し式収納部３については、引き戸式収納部２…の群と隣り合うようにして、床面からの高さ寸法が０〜１５００ｍｍの範囲において収納部３…が８つ上下方向に隣り合うようにして備えられている。より詳しくは、床面からの高さ寸法が０〜６００ｍｍの範囲において収納部３…が２つ上下方向に隣り合うようにして備えられ、床面からの高さ寸法が６００〜１２００ｍｍの範囲において収納部３…が３つ上下方向に隣り合うようにして備えられ、１２００〜１５００ｍｍの範囲においては収納部３…が３つ上下方向に隣り合うようにして備えられている。１２００〜１５００ｍｍの範囲において、引出し式収納部３が密に３つ備えられているのは、体験者が、その身長等に応じて、引出し式収納部を採用しうる限界の高さ位置を把握するのに役立つようにするためである。なお、引出し式収納部は、１２００〜１５００ｍｍの範囲を含む１１００ｃｍから１６００ｍｍの範囲に、上下方向に少なくとも３つ以上備えられていれば同様の機能が奏される。
【００２０】
そして、上開きハッチ式収納部４については、引出し式収納部３…群の上方の空きスペース、即ち、本実施形態において引出し式収納部３を設ける上で無益であるとした高さ範囲である１５００〜２４００ｍｍの高所範囲において、上開きハッチ式収納部４…が３つ上下方向に隣り合うようにして備えられており、各上開きハッチ式収納部４…の高さ寸法はそれぞれ３００ｍｍに設計されている。各収納部４…のハッチには取っ手５…が備えられ、取っ手５はハッチの下端部分に備えられている。
【００２１】
また、本実施形態では、各収納部を開閉する際の自分の全身を見ることができるようにする鏡６が備えられ、また、各収納部の高さ位置を把握するための寸法標示７などもなされている。寸法標示７の標示のされ方に制限はなく、各収納部の高さ位置を寸法的に把握できるような標示がなされていればよい。
【００２２】
上記の体験設備では、開き戸式収納部１、引き戸式収納部２、引出し式収納部３及び上開きハッチ式収納部４の４種の収納部が、高さ位置を異ならせて上下方向に複数備えられているので、例えば、開き戸式収納部１について、どの高さ位置において使いよいか、どの高さ位置において使いにくいかを体験的に知ることができるし、また、引き戸式収納部２についても、あるいは、引出し式収納部３についても、あるいは、上開きハッチ式収納部４についても、同じように、どの高さ位置において使いよいか、どの高さ位置において使いにくいかを体験的に知ることができる。
【００２３】
しかも、本実施形態では、開き戸式収納部１と引き戸式収納部２について、それらの高さ位置を対応させるようにして備えられているので、どの高さ位置の収納部にはどちらの収納部が使い良くてどちらの収納部は使いにくいかを、それらの間で比較して体験することができる。また、本実施形態では、開き戸式収納部１と引き戸式収納部２に並列するように、引出し式収納部３も高さ位置を対応させるように備えられているので、これら三者間で比較体験することができるし、高所においては、開き戸式収納部１と引き戸式収納部２に並列するように、上開きハッチ式収納部４も高さ位置を対応させるように備えられているので、これら三者間での比較体験も行うことができる。
【００２４】
また本実施形態では、引出し式収納部３…の群の上方に隣接して上開きハッチ式収納部４が備えられているので、引出し式収納部３…の群を備えた体験設備において、引出し式収納部３の群の上方に生じる空きスペースを他の収納部の体験スペースとして有効利用することができると共に、引出し式収納部３の上方に採用しうる開閉方式を体験することができて体験の幅を拡大することができる。
【００２５】
また、本実施形態では、引出し式収納部３…の群において、１２００〜１５００ｍｍの高さ範囲において、引出し式収納部３が３つ備えられているので、体験者が、その身長等に応じて、引出し式収納部を採用しうる限界の高さ位置を寸法的により詳しく把握することができる。
【００２６】
更に、各収納部を開閉する際の自分の全身を見ることができるように鏡６が備えられているので、体験行為による評価と併せて視覚的な見地からの評価も行うことができ、体験者はより正確な評価を行うことができる。また、収納部前の床面にグリッド等の寸法標示や、開き戸、引出し、ハッチ等の扉の開閉の動きの軌跡の表示がなされている場合は、扉形式の違いによって、体験者の立ち位置の違いや、物の出入れの際の体験者の動作軌跡の違いを把握することができる。
【００２７】
そして、上記の体験設備を用い、体験希望者に収納部の高さ位置を体験させることによって、体験をさせる側は、希望者の体験希望に容易に応えていくことができる。
【００２８】
図２（イ）に示す第２実施形態の体験設備は、開き戸式収納部１のみを備えたものからなっていて、この開き戸式収納部１が高さ位置を異ならせて上下方向に複数備えられている。この設備では、開き戸式収納部について、どの高さ位置において使いよいか、どの高さ位置において使いにくいかを体験的に知ることができる。
【００２９】
また、図２（ロ）に示す第３実施形態の体験設備は、引き戸式収納部２のみを備えたものからなっていて、この引き戸式収納部２が高さ位置を異ならせて上下方向に複数備えられている。この設備では、引き戸式収納部について、どの高さ位置において使いよいか、どの高さ位置において使いにくいかを体験的に知ることができる。
【００３０】
更に、図２（ハ）に示す第４実施形態の体験設備は、引出し式収納部３と上開きハッチ式収納部４だけが備えられ、引出し式収納部３は高さ位置を異ならせて上下方向に複数備えられ、該引出し式収納部３…の群の上方に隣接して上開きハッチ式収納部４が備えられている。なお、引出し式収納部３…の群の上方には、上開きハッチ式収納部４に代えて、開き戸式収納部が備えられていてもよいし、引き戸式収納部が備えられていてもよい。引出し式収納部３…の群の上方に備えられる上開きハッチ式収納部４や開き戸式収納部、引き戸式収納部は単数であってもよいし、複数であってもよい。また、引出し式収納部３…の群の上方には、開き戸式収納部、引き戸式収納部、上開きハッチ式収納部のうちのいずれか二種以上が備えられていてもよい。
【００３１】
以上に、本発明の実施形態を示したが、本発明はこれに限られるものではなく、発明思想を逸脱しない範囲で各種の変更が可能である。例えば、本発明では、開き戸式収納部と引き戸式収納部だけが備えられた体験設備として構成されていてもよいし、開き戸式収納部又は引き戸式収納部と引出し式収納部だけが備えられた体験設備として構成されていてもよい。また、開き戸式収納部、引き戸式収納部、引出し式収納部及び上開きハッチ式収納部のいずれか一種又は二種以上と、それ以外の開閉方式による収納部とが備えられ、それらの種の収納部が高さ位置を異ならせて上下方向に複数備えられている体験設備として構成されていてもよい。なお、本発明においていう「…式収納部」の語は、内部に収納空間部を備えたものであってもよいし、備えないものであってもよく、例えば、開き戸式収納部や引き戸式収納部、ハッチ式収納部について、開き戸や引き戸、ハッチ等を開くと内部に収納空間部があるものであってもよいし、そのような収納空間部がないものであってもよい。
【００３２】
【発明の効果】
本発明は、以上のとおりのものであるから、住宅の新築や増改築、収納家具の選定等において、どの高さ位置の収納部にはどの種の収納部が使い良くてどの種は使いにくいか、あるいは、特定の種の収納部はどの高さ位置において使い良くてどの高さ位置では使いにくいか、などを予め比較して体験することができる。
【図面の簡単な説明】
【図１】第１実施形態の体験設備の全体を示す透視正面図である。
【図２】図（イ）は第２実施形態の体験設備を示す正面図、図（ロ）は第３実施形態の体験設備を示す正面図、図（ハ）は第４実施形態の体験設備を示す正面図である。
【符号の説明】
１…開き戸式収納部
２…引き戸式収納部
３…引出し式収納部
４…上開きハッチ式収納部
【図１】
2004264575.tif 000003
【図２】
2004264575.tif 000004